(57)【要約】【課題】液滴吐出装置において、フラッシング中に気泡が侵入したと考えられる場合に混入気泡を速やかに除去できるようにヘッドクリーニングを行なうこと。【解決手段】フラッシング時にインクカートリッジカバー２ｂが開けられてインク供給路に気泡が侵入した可能性がある場合に、クリーニング強度設定カウンタＮのカウント値ＮａにΔＮ１を加算する。不良ノズルが検出されると行なわれるヘッドクリーニングでは、カウント値Ｎａが閾値Ｎｍａｘを超えると、最もクリーニング強度の高いヘッドクリーニング（ＣＬ４）が行なわれる。フラッシング時にインクカートリッジカバー２ｂが開けられると、カウント値ＮａにΔＮ１が加算されるので、その分、ヘッドクリーニング（ＣＬ４）の実行時期が早まり、侵入した気泡を速やかにノズルから排出できる。【選択図】図９
2010030186.tif 000002
【特許請求の範囲】
【請求項１】
開閉カバーを閉じると、液タンクの液供給口に液滴吐出ヘッドに液を供給する液供給路
が接続され、前記開閉カバーを開けると、前記液供給口から前記液供給路が切り離される
液滴吐出装置のヘッドクリーニング制御方法であって、
前記液滴吐出ヘッドの各ノズルから液滴を吐出するフラッシングを行い、
当該フラッシング時に前記開閉カバーが開けられたか否かを検出し、
前記開閉カバーが開けられたことが検出された場合には、前記フラッシング後に行われ
るヘッドクリーニングのクリーニング強度および実行時期のうちの少なくとも一方を変更
することを特徴とする液滴吐出装置のヘッドクリーニング制御方法。
【請求項２】
請求項１に記載の液滴吐出装置のヘッドクリーニング制御方法において、
前記開閉カバーが開けられたことが検出された場合には、前記フラッシング後に行われ
る前記ヘッドクリーニングのうち、クリーニング強度が最も高いヘッドクリーニングの実
行時期を早めることを特徴とする液滴吐出装置のヘッドクリーニング制御方法。
【請求項３】
請求項１または２に記載の液滴吐出装置のヘッドクリーニング制御方法において、
前記フラッシングを行う前に、前記開閉カバーが開いているか否かを検出し、
前記開閉カバーが開いている場合には前記液供給路を封鎖し、前記開閉カバーが閉じら
れたことが検出されたときに前記フラッシングを行うことを特徴とする液滴吐出装置のヘ
ッドクリーニング制御方法。
【請求項４】
請求項１ないし３のうちのいずれかの項に記載の液滴吐出装置のヘッドクリーニング制
御方法において、
前記ヘッドクリーニングは前記液滴吐出ヘッドの各ノズルから液を吸引する液吸引処理
であり、
前記クリーニング強度の変更を、前記液吸引処理における液吸引量および液吸引力のう
ちの少なくとも一方を変えることにより行なうことを特徴とする液滴吐出装置のヘッドク
リーニング制御方法。
【請求項５】
請求項１ないし４のうちのいずれかの項に記載の液滴吐出装置のヘッドクリーニング制
御方法において、
前記液滴吐出ヘッドの各ノズルが不良ノズルであるか否かを検出するノズルチェクを行
い、
前記不良ノズルが検出された場合に前記ヘッドクリーニングを行うことを特徴とする液
滴吐出装置のヘッドクリーニング制御方法。
【請求項６】
液タンク装着部と、
前記液タンク装着部を開閉する開閉カバーと、
前記開閉カバーを閉じると前記液タンク装着部に装着されている液タンクの液供給口を
液滴吐出ヘッドに液を供給する液供給路に接続し、前記開閉カバーを開くと前記液供給口
を前記液供給路から切り離すカバー連動機構と、
前記開閉カバーの開閉を検出する開閉センサと、
前記液滴吐出ヘッドの各ノズルから液を吸引する液吸引手段と、
前記液滴吐出ヘッドのノズルが不良ノズルであるか否かを検出するノズルチェック手段
と、
前記液滴吐出ヘッドの各ノズルから液滴を吐出させるフラッシングを行なわせるフラッ
シング手段と、
前記ノズルチェック手段によって前記不良ノズルが検出された場合に、前記液吸引手段
を用いて前記不良ノズルを回復させるヘッドクリーニングを行なわせるヘッドクリーニン
グ制御手段とを有し、
当該ヘッドクリーニング制御手段は、前記開閉カバーが開けられたことが検出された場
合には、前記フラッシング後に行われる前記ヘッドクリーニングのクリーニング強度およ
び実行時期の少なくとも一方を変更することを特徴とする液滴吐出装置。
【請求項７】
請求項６に記載の液滴吐出装置において、
予め定めた事象の発生に応じてカウント値が加算されるクリーニング強度設定カウンタ
を有しており、
前記事象には、前記開閉カバーが開けられたことが検出された場合が含まれており、
前記制御手段は、前記クリーニング強度設定カウンタのカウント値が予め定めた閾値を
超えた場合には、前記クリーニング強度が最も高い前記ヘッドクリーニングを実行させる
ことを特徴とする液滴吐出装置。
【請求項８】
請求項７に記載の液滴吐出装置において、
前記液供給路を閉鎖可能なバルブを有しており、
前記ヘッドクリーニング制御手段は、
前記フラッシングを行う前に、前記センサによって前記開閉カバーが開いているか否か
を検出し、
前記開閉カバーが開いている場合には前記バルブを用いて前記液供給路を封鎖し、前記
開閉カバーが閉じられたことが検出されたとき前記フラッシングを行うことを特徴とする
液滴吐出装置。
【請求項９】
請求項６ないし８のうちのいずれかの項に記載の液滴吐出装置において、
前記ヘッドクリーニング制御手段は、
前記液吸引手段による液吸引量を増加する制御、および、液吸引力を高める制御の少な
くとも一方の制御を行うことにより前記クリーニング強度を強くすることを特徴とする液
滴吐出装置。
【発明の詳細な説明】
【技術分野】
【０００１】
本発明は、液タンク装着部の開閉カバーを閉じると液タンクが液滴吐出ヘッドへの液供
給路に接続され、開閉カバーを開けると液タンクが液供給路から外れるように構成されて
いる液滴吐出装置に関する。さらに詳しくは、かかる液滴吐出装置において液供給路に侵
入した気泡に起因する不良ノズルを効率良く回復させるための液滴吐出装置のヘッドクリ
ーニング制御方法に関する。
【背景技術】
【０００２】
ノズルから液滴を吐出する液滴吐出ヘッドを備えた液滴吐出装置としては、一般に、ノ
ズルからインク液滴を吐出して印刷を行なうインクジェットヘッドを備えたインクジェッ
トプリンタが知られている。このような液滴吐出装置の液滴吐出ヘッドでは、ノズルから
液滴の吐出が不良あるいは不能になることがある。インクジェットプリンタを例に挙げて
説明すると、インクジェットヘッドの各ノズルが、ノズル内に残っているインクなどの液
滴の増粘や気泡の混入、異物の付着などによって目詰まり状態になり、インク液滴を吐出
できない吐出不能に陥ることがある。また、ノズルが部分的に詰まり、十分な量のインク
液滴を吐出できない吐出不良状態に陥ることがある。このような状態に陥ったノズル（以
下、不良ノズルと呼ぶ。）が含まれているインクジェットヘッドを用いて印刷を行うとド
ット抜けなどが発生して印刷品位が低下するおそれがある。そこで、定期的に、あるいは
所定のタイミングで、インクジェットヘッドを印刷領域外へ移動させて、各ノズルからイ
ンク液滴を吐出させるフラッシングや、各ノズルからインクを吸引するインク吸引動作な
どのヘッドクリーニングが行なわれている。
【０００３】
特許文献１にはノズルチェックおよびヘッドクリーニングを行うノズルチェック機能付
きのプリンタが開示されている。このプリンタでは、電源投入時に、起動処理の一部とし
てノズルチェックおよびヘッドクリーニングを行っている。また、ノズルチェックを行っ
て不良ノズルの個数をチェックし、不良ノズル数がユーザが設定した閾値以上ならば不良
ノズル数に対応する内容のヘッドクリーニングを行い、不良ノズル数が閾値未満ならばヘ
ッドクリーニングを行わないようにしている。
【０００４】
一方、インクジェットプリンタのインク供給源としては一般にインクカートリッジが用
いられている。この場合、インクジェットプリンタにはインクカートリッジ装着部が形成
され、その開閉カバーを開けてインクカートリッジが装着される。インクカートリッジに
はインク供給口が形成されており、インクカートリッジ装着部の側にはインク供給口に差
し込み可能なインク供給針が配置されている。開閉カバーを閉じると、インクカートリッ
ジのインク供給口がインク供給針の側に押され、インク供給針がインク供給口に差し込ま
れた状態になる。これにより、インクカートリッジがインクジェットヘッドへのインク供
給路に接続され、インクの供給が可能になる。開閉カバーを開くと、インクカートリッジ
のインク供給口がインク供給針から外れて、インク供給針は大気開放状態になる。インク
カートリッジの交換時などにおいて大気開放状態のインク供給針からインク供給路に気泡
が侵入することが無い様に、インク供給路に取り付けられているバルブを閉じてインク供
給路を閉鎖するようにしている。特許文献２には、このようなインク供給部を備えたイン
クジェットプリンタが開示されている。
【特許文献１】特開２００７−７９６０号公報
【特許文献２】特開２００７−１０６０１９号公報
【発明の開示】
【発明が解決しようとする課題】
【０００５】
ここで、不良ノズルの発生を未然に防止するために行なわれるフラッシング中に、イン
クカートリッジ装着部の開閉カバーが開けられると、大気開放状態になったインク供給針
から気泡がインク供給路に吸い込まれる可能性が高い。インク供給路に侵入した気泡は、
その後のインク供給動作に伴って徐々にインク供給路内をインクジェットヘッドのノズル
に向けて進む。気泡がノズルまで到達すると、当該ノズルはインク液滴の吐出不良あるい
は吐出不能状態に陥る。したがって、インク供給針の側から侵入した気泡を除去するため
には、ノズルから多目のインク吸引を行なうヘッドクリーニングを行なう必要がある。
【０００６】
しかしながら、従来においては、インクタンク装着部あるいはインクカートリッジ装着
部の開閉カバーが開いた状態のままでフラッシングが行なわれてしまった場合における混
入気泡除去対策については何ら提案されていない。
【０００７】
本発明の課題は、この点に鑑みて、フラッシング中に気泡が侵入したと考えられる場合
に混入気泡を速やかに除去できるようにヘッドクリーニングを行なうことのできるインク
ジェットプリンタなどの液滴吐出装置のヘッドクリーニング制御方法を提案することにあ
る。
【課題を解決するための手段】
【０００８】
上記の課題を解決するために、本発明は、開閉カバーを閉じると、液タンクの液供給口
に液滴吐出ヘッドに液を供給する液供給路が接続され、前記開閉カバーを開けると、前記
液供給口から前記液供給路が切り離される液滴吐出装置のヘッドクリーニング制御方法で
あって、
前記液滴吐出ヘッドの各ノズルから液滴を吐出するフラッシングを行い、
当該フラッシング時に前記開閉カバーが開けられたか否かを検出し、
前記開閉カバーが開けられたことが検出された場合には、前記フラッシング後に行われ
るヘッドクリーニングのクリーニング強度および実行時期の少なくとも一方を変更するこ
とを特徴としている。
【０００９】
例えば、本発明においては、前記開閉カバーが開けられたことが検出された場合には、
前記フラッシング後に行われるヘッドクリーニングのうち、クリーニング強度が最も高い
ヘッドクリーニングの実行時期を早めるようにしている。
【００１０】
本発明の液滴吐出装置のヘッドクリーニング制御方法では、フラッシング時に開閉カバ
ーが開けられたことが検出された場合には、その後に行われるヘッドクリーニングのクリ
ーニング強度を強くし、あるいは、クリーニング強度の強いヘッドクリーニングの実行時
期を早めるようにすることができる。これにより、液供給路に侵入した気泡を速やかにノ
ズル側に移動させて除去することができる。
【００１１】
ここで、フラッシング時の気泡の侵入を未然に防止するために、本発明の液滴吐出装置
のヘッドクリーニング制御方法においては、前記フラッシングを行う前に、前記開閉カバ
ーが開いているか否かを検出し、前記開閉カバーが開いている場合には前記液供給路を封
鎖し、前記開閉カバーが閉じられたことが検出されたとき前記フラッシングを行うことを
特徴としている。
【００１２】
また、侵入した気泡を速やかに除去できるようにするために、本発明の液滴吐出装置の
ヘッドクリーニング制御方法において、前記ヘッドクリーニングは前記液滴吐出ヘッドの
各ノズルから液を吸引する液吸引処理であり、当該液吸引処理における液吸引量を増加す
る制御、および、液吸引力を高める制御のうちの少なくとも一方の制御を行うことにより
前記クリーニング強度を強くすることを特徴としている。
【００１３】
さらに、不良ノズルによる品質の劣化を未然に防止できるようにするために、本発明の
液滴吐出装置のヘッドクリーニング制御方法においては、前記液滴吐出ヘッドの各ノズル
が不良ノズルであるか否かを検出するノズルチェクを行い、前記不良ノズルが検出された
場合に前記ヘッドクリーニングを行うことを特徴としている。
【００１４】
次に、本発明は、上記のヘッドクリーニング制御方法を用いてヘッドクリーニングを行
なう液滴吐出装置に関するものであり、本発明の液滴吐出装置は、
液タンク装着部と、
前記液タンク装着部を開閉する開閉カバーと、
前記開閉カバーを閉じると前記液タンク装着部に装着されている液タンクの液供給口を
液滴吐出ヘッドに液を供給する液供給路に接続し、前記開閉カバーを開くと前記液供給口
が前記液供給路から切り離すカバー連動機構と、
前記開閉カバーの開閉を検出する開閉センサと、
前記液滴吐出ヘッドの各ノズルから液を吸引する液吸引手段と、
前記液滴吐出ヘッドのノズルが不良ノズルであるか否かを検出するノズルチェック手段
と、
前記液滴吐出ヘッドの各ノズルから液滴を吐出させるフラッシングを行なわせるフラッ
シング手段と、
前記ノズルチェック手段によって前記不良ノズルが検出された場合に、前記液吸引手段
を用いて前記不良ノズルを回復させるヘッドクリーニングを行なわせるヘッドクリーニン
グ制御手段とを有し、
当該ヘッドクリーニング制御手段は、前記開閉カバーが開けられたことが検出された場
合には、前記フラッシング後に行われる前記ヘッドクリーニングのクリーニング強度およ
び実行時期の少なくとも一方を変更することを特徴としている。
【００１５】
ここで、混入気泡を効率良く除去するためには、クリーニング強度が最も強いヘッドク
リーニングを早めに行なうことが望ましい。そのために、本発明の液滴吐出装置において
は、予め定めた事象の発生に応じてカウント値が加算されるクリーニング強度設定カウン
タを有しており、前記事象には、前記開閉カバーが開けられたことが検出された場合が含
まれており、前記制御手段は、前記クリーニング強度設定カウンタのカウント値が予め定
めた閾値を超えた場合には、前記クリーニング強度が最も高い前記ヘッドクリーニングを
実行させるようにしている。
【００１６】
また、本発明の液滴吐出装置において、前記液供給路を閉鎖可能なバルブを有しており
、前記ヘッドクリーニング制御手段は、前記フラッシングを行う前に、前記センサによっ
て前記開閉カバーが開いているか否かを検出し、前記開閉カバーが開いている場合には前
記バルブを用いて前記液供給路を封鎖し、前記開閉カバーが閉じられたことが検出された
とき前記フラッシングを行うことが望ましい。
【００１７】
さらに、本発明の液滴吐出装置において、前記ヘッドクリーニング制御手段は、前記液
吸引手段による液吸引量を増加する制御、および、液吸引力を高める制御の少なくとも一
方の制御を行うことにより前記クリーニング強度を強くすることが望ましい。
【発明の効果】
【００１８】
本発明では、フラッシング時に液タンク装着部の開閉カバーが開けられたことが検出さ
れると、当該フラッシング後に行なわれるヘッドクリーニングにおけるクリーニング強度
を高める制御、あるいは実行時期を早める制御を行うようにしている。この結果、液供給
路に侵入した気泡を速やかに除去できる。また、フラッシング前に開閉カバーが開いてい
る場合にはフラッシングを行わないようにしているので、気泡の侵入および気泡侵入に起
因する不良ノズルの発生を未然に防止でき、これにより、品質を確保することができる。
【発明を実施するための最良の形態】
【００１９】
以下に、図面を参照して、本発明を適用した液滴吐出装置の実施の形態を説明する。以
下に述べる実施の形態は本発明をインクジェットプリンタに適用したものであるが、本発
明は、インク以外の液滴を吐出する液滴吐出ヘッドを備えた液滴吐出装置にも同様に適用
可能なことは勿論である。例えば、試薬などを分注する液滴吐出装置に適用可能である。
【００２０】
（インクジェットプリンタの全体構成）
図１はインクジェットプリンタの外観斜視図であり、図２はロール紙カバーを全開にし
た状態を示す外観斜視図である。図３はインクジェットプリンタの内部構造を示すために
外装ケースを取り外した状態のプリンタ機構部を示す斜視図である。
【００２１】
これらの図を参照して説明すると、インクジェットプリンタ１は箱型の外装ケース２を
備えており、この外装ケース２の前面には、ロール紙カバー２ａおよびインクカートリッ
ジカバー２ｂ（開閉カバー）が左右に並んでおり、これらの上には、印刷後の記録紙を排
出するための排紙口３が形成されている。ロール紙カバー２ａを開くと、図２、図３に示
すように、外装ケース２の内部に形成されているロール紙収納部４が開放状態になり、こ
こに収納されているロール紙５の補充や交換を行うことができる。インクカートリッジカ
バー２ｂを開くと、図３に示すように、インク液を封入したインクカートリッジ６を装着
するためのインクカートリッジ装着部７が開放状態になり、インクカートリッジ６の装着
や取り外しが可能になる。
【００２２】
外装ケース２の前面部分には、図２に示すように、ロール紙収納部４あるいはインクカ
ートリッジ装着部７に連通する開口の縁部に、ロール紙カバー２ａが閉じたことを検出す
るための開閉センサ２ｃ、および、インクカートリッジカバー２ｂが閉じたことを検出す
るための開閉センサ２ｄが取り付けられている。外装ケース２の内側の所定位置には、イ
ンクジェットプリンタ１に外部から加えられた衝撃を検出するための衝撃センサ２ｅが取
り付けられている。衝撃センサ２ｅは、例えば、衝撃時の加速度による錘の動きを圧電材
料や位置センサなどにより検出するものが用いられる。
【００２３】
外装ケース２によって覆われているプリンタ機構部１０は、図３に示すように、ロール
紙収納部４の上側に配置された印刷機構１１と、ロール紙収納部４の右側に配置されたイ
ンクカートリッジ装着部７と、このインクカートリッジ装着部７の上に配置されたヘッド
クリーニング機構４０とを備えている。また、後述するように、ロール紙収納部４に収納
されたロール紙５から引き出された記録紙を印刷機構１１による印刷位置を経由して搬送
する紙送り機構、排紙口３の近傍に位置する記録紙切断機構などの各種の機構を備えてい
る。
【００２４】
図４はインクジェットプリンタ１の内部構造を示す概略断面図である。図３および図４
を参照してインクジェットプリンタ１の内部構造を説明する。ロール紙収納部４およびイ
ンクカートリッジ装着部７の上側に配置されている印刷機構１１は、インクジェットヘッ
ド１２と、インクジェットヘッド１２が搭載されたキャリッジ１３と、キャリッジ１３を
ガイドするための水平なキャリッジ軸１４とを備えている。キャリッジ１３は無端ベルト
１５によりキャリッジモータ１６の出力軸に連結されており、キャリッジモータ１６の回
転に基づいてイクジェットヘッド１２がプリンタ幅方向すなわちロール紙５の紙幅方向に
往復移動する。
【００２５】
インクジェットヘッド１２は、インクを吐出するための複数のノズルが形成されたノズ
ル面１２ａを備えており、ノズル面１２ａがキャリッジ１３の下側において下向きになっ
て露出している。キャリッジ１３の上面にはインクジェットヘッド１２に接続された背圧
調整ユニット１７が搭載されており、背圧調整ユニット１７は、その背面側に接続された
ダンパユニット１８を介してインク供給チューブ１９の先端に接続されている。インクジ
ェットヘッド１２は、ロール紙収納部４の上側に水平に配置されたプラテン２０の上面に
よって規定される印刷位置を通って往復移動するときに、プラテン２０の上面に送り出さ
れた記録紙５ａにノズル面１２ａ上の各インクノズルからインク滴を吐出して印刷を行う
。印刷を行わないときには、インクジェットヘッド１２は、キャリッジ軸１４の右端まで
移動してヘッドクリーニング機構４０に対峙した待機位置（図３に示す位置）に戻る。
【００２６】
次に、図４を主に参照して紙送り機構を説明すると、プラテン２０の後側（搬送方向の
上流側）には、後側紙送りローラ２１および後側紙押えローラ２２がプリンタ幅方向に水
平に架け渡されている。後側紙送りローラ２１には、記録紙５ａを介して後側紙押えロー
ラ２２が上側から所定の押圧力で押し付けられている。プラテン２０の前端側には、前側
紙送りローラ２３および前側紙押えローラ２４が配置されている。前側紙送りローラ２３
には記録紙５ａを介して前側紙押えローラ２４が上側から押し付けられている。後側紙送
りローラ２１および前側紙送りローラ２３は紙送りモータ２５によって同期して回転駆動
される。
【００２７】
ロール紙５は、排紙口３から手で掴んだ分の長さを引き出された状態でロール紙カバー
２ａを閉めてセットされる。ロール紙収納部４のロール紙５から繰り出される記録紙５ａ
は、テンションガイド２６によって所定の張力が付与された状態でプラテン２０の上面の
印刷位置を経由する搬送路に沿って搬送される。紙送りモータ２５が駆動制御されると、
後側紙送りローラ２１および前側紙送りローラ２３が回転し、記録紙５ａが一定の送り量
で１行印刷毎に間欠送りされる。記録紙５ａの送りと同期してインクジェットヘッド１２
が駆動され、印刷位置を通過する記録紙５ａの表面に印刷が行われる。印刷済みの記録紙
５ａが排紙口３から排出された状態で停止し、排紙口３の近傍に配置された記録紙切断機
構８によって記録紙５ａの先端の印刷部分が切断され、印刷済みの記録紙片が発行される
。
【００２８】
次に、図５はインクカートリッジ装着部７およびインク供給経路を示す模式図である。
図３および図５を参照して説明すると、インクカートリッジ装着部７には、インクカート
リッジカバー２ｂの開閉に連動して前後にスライドする連動式スライダ７１が配置されて
いる。また、インクカートリッジ装着部７の背面には前方に突出した複数本のインク供給
針７２が配置されている。これらのインク供給針７２はインク供給路７３を介して、イン
クジェットヘッド１２にインクを供給する各インク供給チューブ１９に接続されている。
インク供給路７３におけるインク供給針７２に隣接した部位には、当該インク供給路７３
を封鎖可能なバルブ７４が配置されている。一方、インクカートリッジ６はその背面に各
インク供給針７２を差し込み可能なインク供給口６１が形成されている。
【００２９】
インクカートリッジカバー２ｂを前方に開けると、それに連動して連動式スライダ７１
が前方にスライドする。図５（ａ）に示すように、この連動式スライダ７１にインクカー
トリッジ６を装着し、しかる後にインクカートリッジカバー２ｂを閉じると、それに伴っ
て連動式スライダ７１が後方に押し込まれる。この結果、図５（ａ）に示すように、イン
クカートリッジ６のインク供給口６１にインク供給針７２が差し込まれた装着状態が形成
され、インクカートリッジ６がインクジェットヘッド１２に供給するインク供給路７３に
接続される。インクカートリッジカバー２ｂを開けると、図５（ｂ）の状態になり、イン
ク供給路７３のインク供給針７２がインクカートリッジ６のインク供給口６１から引き抜
かれて、これらが切り離され、インク供給針７２に形成されているインク供給穴の先が大
気開放状態になる。この状態でバルブ７４を閉じることによりインク供給路７３が封鎖さ
れ、当該インク供給路７３への気泡の侵入を防止できる。
【００３０】
（ヘッドクリーニング機構）
図６はヘッドクリーニング機構４０を取り出して示す斜視図である。ヘッドクリーニン
グ機構４０は、インクジェットヘッド１２のノズル面１２ａを封止するためのヘッドキャ
ップ４１と、ノズル面１２ａに付着しているインクや異物などを払拭するためのワイパ４
２と、インクジェットヘッドヘッド１２のインクノズル内に残留あるいは目詰まり等して
いるインクを吸引するためのインク吸引部４３を備えている。ヘッドキャップ４１、ワイ
パ４２、およびインク吸引部４３はヘッドクリーニング機構４０のフレーム４４に取り付
けられている。フレーム４４は、キャリッジ軸１４やプラテン２０などを支持するインク
ジェットプリンタ１の本体フレームに固定されている。
【００３１】
ヘッドキャップ４１は、待機位置におけるノズル面１２ａの真下に配置されており、ノ
ズル面１２ａに正対する上向きの封止面４１ａを備えている。ヘッドキャップ４１は、図
示しない駆動機構を作動させることにより、ノズル面１２ａに対して垂直な方向、すなわ
ち、キャリッジ軸１４と直交する方向に上下にスライド可能に構成されている。これによ
り、封止面４１ａがノズル面１２ａに対して近づく方向または遠ざかる方向にヘッドキャ
ップ４１が移動する。
【００３２】
図７はインクジェットヘッド１２およびヘッドキャップ４１が正対している状態を示す
部分断面図である。この図に示すように、ヘッドキャップ４１は、封止面４１ａの縁部４
１ｂが垂直に立ち上がっている箱型状であり、ゴムなどの弾力性のある素材で形成されて
いる。ヘッドキャップ４１は、ノズル面１２ａのノズル形成部分を縁部４１ｂで囲むよう
に覆いながら、ノズル面１２ａに密着させることが可能な大きさおよび形状である。封止
面４１ａおよび縁部４１ｂで囲まれる凹部４１ｃ内には、インク吸引部４３が備える図示
しないポンプモータから延びる吸引用チューブが接続されている。縁部４１ｂをノズル面
１２ａに密着させた状態でポンプモータが作動すると、ポンプモータの吸引力により凹部
４１ｃとノズル面１２ａで囲まれた密閉空間が減圧され、インクジェットヘッド１２の各
ノズルに残留しているインクが吸引されて凹部４１ｃ内に吐出される。
【００３３】
ワイパ４２はゴムなどの弾性材からなる板状の部材であり、ヘッドクリーニング機構４
０のフレーム４４に固定された図示しないガイド部材によって上下にスライド可能に保持
されている。ワイパ４２は、図示しない駆動機構を作動させることにより、ヘッドキャッ
プ４１と同様に、ノズル面１２ａに対して垂直な方向に移動可能に構成されている。ワイ
パ４２でノズル面１２ａを払拭する際には、ノズル面１２ａをワイパ４２の真上から横方
にずらした状態でワイパ４２を上昇させ、ワイパ４２の先端をノズル面１２ａの高さより
もわずかに上に突出させ、この状態でインクジェットヘッド１２をキャリッジ軸１４に沿
って移動させ、ワイパ４２の先端をノズル面１２ａに摺接させる。これにより、ノズル面
１２ａに付着した異物やインクがワイパ４２の先端によって掻きとられる。
【００３４】
印刷ジョブが終了してインクジェットヘッド１２を待機位置で待機させる場合には、縁
部４１ｂがノズル面１２ａの周囲に密着する位置までヘッドキャップ４１が移動してノズ
ルを封鎖する。これにより、待機時におけるノズル内のインクを増粘しにくくして目詰ま
り等を発生しにくくすることができる。また、インクジェットヘッド１２を待機位置側あ
るいは印刷位置側に移動させるタイミングに同期させてワイパ４２を上昇させることによ
り、ワイパ４２でノズル面１２ａを払拭するワイピング処理を行うことができる。
【００３５】
ノズルの目詰まり等によりヘッドクリーニングが必要になった場合には、インクノズル
を封鎖する位置にヘッドキャップ４１を移動させた状態でポンプモータを作動させて凹部
４１ｃとノズル面１２ａで囲まれた密閉空間内を吸引し、各インクノズルからインクを吐
出させるインク吸引処理を実行することができる。
【００３６】
また、インクノズル内のインク滴の状態を適切に保つために、インクジェットヘッド１
２をヘッドキャップ４１と対向させた状態で、インクジェットヘッド１２の全インクノズ
ルから、印刷動作とは関係なく、所定量のインクをヘッドキャップ４１の凹部４１ｃ内に
吐出させるフラッシング処理が定期的に行われる。また、この定期フラッシング処理で吐
出するインク滴よりも多量のインク滴をまとめて吐出させるフラッシング処理を所望のタ
イミングで実行し、これによりヘッドクリーニングを行ってノズルの目詰まり等を回復す
ることもできる。
【００３７】
クリーニング処理として、上記ワイピング処理、インク吸引処理、フラッシング処理の
いずれか一つ、あるいは、これらの処理を適宜組み合わせて行うことができる。これらの
処理を実際に行う前に、インクノズルからのインクの吐出状態を検査するノズルチェック
処理が行われる。ノズルチェック結果に基づき、ヘッドクリーニングを行うか否かなどを
判断し、必要な場合にヘッドクリーニング処理が行われる。
【００３８】
（ノズルチェック機構）
ノズルチェック処理を行うために、ヘッドクリーニング機構４０には不良ノズルを検出
するためのノズルチェック機構が備わっている。すなわち、凹部４１ｃ内には、吐出され
た廃インクを吸収するための吸収材４１ｄが配置されていると共に、吸収材４１ｄと電気
的に導通するように導電材４１ｅが取り付けられている。導電材４１ｅを流れた電気信号
は配線などによって取り出される。この構成により、インクジェットヘッド１２の各ノズ
ルから帯電したインク液滴を吐出して、帯電したインク液滴が吸収材４１ｄに着弾する際
に生じる電流変化の信号を取り出すことができる。インク液滴を吐出したにも拘らず、こ
の信号が所定の閾値以下の場合、インクノズルの吐出不良と判断することができる。この
他に、不良ノズルの検出方法として、吐出したインク滴をレーザーなど光学的な手段で検
出する方法がある。
【００３９】
ノズルチェック処理は、具体的には、インクジェットヘッド１２のノズルから帯電した
インク液滴を吐出し、このインク液滴が凹部４１ｃ内の吸収材４１ｄに着弾する際の電流
変化に基づき、ノズルからのインク液滴の吐出状態を検査する。ノズルチェック処理の際
には、ノズル面１２ａとヘッドキャップ４１における縁部４１ｂの上端との隙間Ｌ１、お
よび、ノズル面１２ａと吸収材４１ｄの表面との隙間Ｌ２が所定寸法になるようにヘッド
キャップ４１を位置決めし、この状態で、インクジェットヘッド１２とヘッドキャップ４
１が所定の電位差になるように、インクジェットヘッド１２側を接地し、ヘッドキャップ
４１側に電圧を印加し所定の電界状態にする。インクジェットヘッド１２から吐出したイ
ンクは、この電界により着弾するまでに所定量の電荷を帯電する。インクが着弾すると帯
電した電荷が導電材４１ｅに流れる。このようにすると、インク液滴の吐出状態を精度良
く検査することができる。
【００４０】
（制御系）
次に、図８はインクジェットプリンタ１の制御系を示す概略ブロック図である。インク
ジェットプリンタ１の制御系は、ＣＰＵ、ＲＯＭ、ＲＡＭなどを備えた制御部３０を中心
に構成されている。制御部３０には、送受信部３１を介して、ホスト装置３２などの上位
機器から印刷データやコマンドなどが供給される。制御部３０は、ホスト装置３２などか
らの印刷指令に基づき、各部の駆動を制御して、紙送り動作および印刷動作を実行する。
【００４１】
制御部３０の出力側には、ヘッドドライバ１２ｂを介してインクジェットヘッド１２が
接続されている。また、モータドライバ３３、３４を介してキャリッジモータ１６および
紙送りモータ２５が接続されている。制御部３０の入力側には、操作入力部３０ａ、セン
サ２ｃ、２ｄ、２ｅ、記録紙搬送経路に配置されているセンサ群３５が接続されている。
制御部３０は、各センサの検出出力などに基づき、ノズルチェック処理、ヘッドクリーニ
ング処理、記録紙搬送処理、印刷処理などを制御する。
【００４２】
（ヘッドクリーニング制御）
次に、上記構成のインクジェットプリンタ１におけるヘッドクリーニング制御動作を説
明する。本例では、不良ノズルが多数発生する可能性がある所定の状態（不良ノズル多発
条件に該当する状態）でヘッドクリーニングを行った場合には、最初に行う１回目のクリ
ーニング処理を通常よりも強めにすることにより、できるだけ少ない回数および少ないイ
ンク消費量でヘッドクリーニングを完了させるようにしている。
【００４３】
なお、以下においては、インク吸引処理、フラッシング処理、ワイピング処理やこれら
を組み合わせた様々なクリーニング処理のうち、一例として、インクの吸引量が異なる（
クリーニング強度が異なる）５種類のインク吸引処理のいずれかを、不良ノズル多発条件
やその他の実施条件により適宜選択して行う場合について説明する。
【００４４】
制御部３０は、ヘッドクリーニングの開始前には、以下の（１）〜（５）に示すように
、インクジェットプリンタ１が不良ノズル多発条件に該当する状態になったことを検出し
、そのことを示す所定のフラグをセットする。
【００４５】
（１）タイマＡＩＤフラグ
インクジェットプリンタ１は、定期的にあるいは所定のタイミングで、ヘッドクリーニ
ング処理を行う。そのため、制御部３０は、直近の印刷処理あるいはヘッドクリーニング
処理から所定時間経過したことを内蔵するタイマにより検出した場合に、タイマＡＩＤフ
ラグをセットする。なお、印刷処理およびヘッドクリーニング処理以外の所定の処理から
所定時間経過した場合にタイマＡＩＤフラグをセットするようにしてもよい。
【００４６】
（２）衝撃検出フラグ
制御部３０は、インクジェットプリンタ１に所定の衝撃が発生したことを衝撃センサ２
ｅで検出した場合には、衝撃検出フラグをセットする。なお、すでに衝撃検出フラグがセ
ットされている状態で更にインクジェットプリンタ１の衝撃を検出した場合には、引き続
き衝撃検出フラグをセットしたままにする。
【００４７】
（３）起動処理フラグ
制御部３０は、インクジェットプリンタ１の電源スイッチがオン状態になった場合や、
ホスト装置などから入力された起動信号あるいはリセット信号や、インクジェットプリン
タ１の内部からのリセット信号を検出した場合には、起動処理あるいは再起動処理を行う
と共に、起動処理フラグをセットする。
【００４８】
（４）ヘッドクリーニング実行保留フラグ（ＡＩＤ保留フラグ）
制御部３０は、定期的あるいは所定のタイミングで行われるヘッドクリーニングが、そ
の実行開始タイミングにおいてインクジェットプリンタ１が丁度印刷処理を実行中だった
などの何らかの理由によって実行できなかった場合に、その回のヘッドクリーニングの実
行を保留すると共に、ヘッドクリーニング実行保留フラグ（以下、ＡＩＤ保留フラグとい
う）をセットする。
【００４９】
（５）カバークローズフラグ
制御部３０は、インクジェットプリンタ１のロール紙カバー２ａが閉じたことを開閉セ
ンサ２ｃで検出した場合と、プリンタ１のインクカートリッジカバー２ｂが閉じたことを
開閉センサ２ｄで検出した場合の、２つの場合には、カバークローズフラグをセットする
。なお、すでにカバークローズフラグがセットされている状態で更にロール紙カバー２ａ
あるいはインクカートリッジカバー２ｂの開閉を検出した場合には、引き続きカバークロ
ーズフラグをセットしたままにする。
【００５０】
制御部３０は、上記タイマＡＩＤフラグがセットされているか否かを定期的にチェック
し、タイマＡＩＤフラグがセットされていることを検出した場合に、ヘッドクリーニング
処理を開始する。また、制御部３０は、インクジェットプリンタ１の操作部で所定のヘッ
ドクリーニング開始操作が行われた場合、あるいはホスト装置からヘッドクリーニング実
行指令が入力された場合、あるいはプリンタ１の内部からのヘッドクリーニング実行指令
を検出した場合に、当該開始操作あるいはヘッドクリーニング実行指令に基づき、タイマ
ＡＩＤフラグの有無とは無関係にヘッドクリーニング処理を開始する。
【００５１】
図９はヘッドクリーニング処理動作を示す概略フローチャートである。制御部３０は、
ヘッドクリーニング処理を開始すると、１回目のノズルチェックを行う（ステップＳ１ａ
）。このノズルチェック処理における不良ノズルの検出結果に基づき、クリーニングの要
否判定を行う（ステップＳ２）。要否判定では、不良ノズルが１箇所でも検出された場合
にはクリーニング処理が必要と判定し、全く検出されなかった場合には不要と判定する。
なお、ヘッドクリーニング処理を開始する際にインクジェットヘッド１２が待機位置に位
置していなかった場合には、１回目のノズルチェック（ステップＳ１ａ）を行う前に、イ
ンクジェットヘッド１２を待機位置に戻す処理を行う。また、クリーニング要否判定（ス
テップＳ２）における閾値は任意に設定することができる。例えば、不良ノズルがｎ箇所
以上（ｎ：２以上）検出された場合にクリーニング処理が必要と判定してもよい。
【００５２】
制御部３０は、クリーニング要否判定（ステップＳ２）においてクリーニング処理が必
要であると判定した場合には、積算カウンタＡＣＬのカウント値が「４」未満であるか否
かの判定を行う（ステップＳ３）。積算カウンタＡＣＬは制御部３０などに内蔵されるカ
ウンタであり、制御部３０は、クリーニング処理を実行した場合には、その都度、積算カ
ウンタＡＣＬに必ず「１」を加算している。従って、積算カウンタＡＣＬのカウント値は
、今回のヘッドクリーニング処理において現在までに行ったクリーニング処理の実行回数
を示す。なお、積算カウンタＡＣＬは、後述するように、ヘッドクリーニングの終了ごと
にリセットされるので、ヘッドクリーニングの開始時には、必ずＡＣＬが「０」の状態に
なっている。
【００５３】
制御部３０は、ステップＳ３で積算カウンタＡＣＬのカウント値が「４」未満である場
合には、積算カウンタＡＣＬのカウント値が「０」であるか否かの判定（ステップＳ４ａ
）を行う。積算カウンタＡＣＬのカウント値が「０」である場合（ステップＳ４ａのＹＥ
Ｓ）、すなわち、まだ１度もクリーニング処理を行っていない場合には、制御部３０は、
クリーニング強度設定カウンタＮのカウント値Ｎａが予め設定した閾値Ｎｍａｘを超えた
か否かを判別する（ステップＳ４ｂ）。
【００５４】
クリーニング強度設定カウンタＮは制御部３０などに内蔵されているカウンタである。
このクリーニング強度設定カウンタＮは、後述するフラッシング時にインクカートリッジ
カバー２ｂが開けられた場合には、カウント値ＮａがΔＮ１だけカウントアップされる。
また、カウントアップされる他のタイミングは、印刷開始前のヘッドクリーニングが必要
となった場合、後述のようにノズルチェックで不良ノズルが検出されてヘッドクリーニン
グ（ＣＬ２）が必要となった場合（図９のステップＳ６→Ｓ８ｃ）である。これらの場合
には予め定めた値がカウントアップされる。また、印刷開始前に、ヘッドキャップが開の
状態となっている時間の累積が４時間以上になるとクリーニング強度設定カウンタはカウ
ントアップし、この場合には、前に行なったフラッシングからの経過時間に応じてヘッド
クリーニングの強さが設定される。 
【００５５】
クリーニング強度設定カウンタＮのカウント値Ｎａが閾値Ｎｍａｘを超えている場合に
は、クリーニング処理として最もインク吸引量の多いインク吸引処理（ＣＬ４）、すなわ
ち最もクリーニング強度の高いインク吸引処理を選択する（ステップＳ８ｇ）。カウント
値Ｎａが閾値Ｎｍａｘ以下の場合には、ステップＳ５に進み、先に述べた（１）〜（５）
のタイマＡＩＤフラグ、衝撃検出フラグ、起動処理フラグ、ＡＩＤ保留フラグ、カバーク
ローズフラグの各フラグがセットされているか否かを判定する。
【００５６】
いずれのフラグもセットされていないと判定した場合には（ステップＳ５）、クリーニ
ング処理として、最もインク吸引量が少ないインク吸引処理（ＣＬ０）を選択する（ステ
ップＳ８ａ）。換言すると、インクジェットプリンタ１が不良ノズル多発条件に該当しな
い状態であると判定し、最も弱いクリーニング強度のクリーニング処理（ＣＬ０）を行う
。
【００５７】
一方、制御部３０は、タイマＡＩＤフラグ、衝撃検出フラグ、起動処理フラグ、ＡＩＤ
保留フラグ、カバークローズフラグの各フラグのうち１つあるいはそれ以上がセットされ
ている場合には（ステップＳ５）、インクジェットプリンタ１が、予め設定した不良ノズ
ル多発条件のうち、少なくとも１つに該当する状態であると判定する。この場合には、１
回目のノズルチェック工程（ステップＳ１）における不良ノズルの検出数が「３」未満で
あるか否かを判定する（ステップＳ６）。すなわち、不良ノズルの検出数に基づき、ノズ
ルの目詰まり等の程度を判定する。不良ノズルの検出数が「３」未満である場合には（ス
テップＳ６のＹＥＳ）、それほど目詰まり等がひどくないと判定して、２番目にインクの
吸引量が少ないインク吸引処理（ＣＬ１）を選択する（ステップＳ８ｂ）。これに対し、
不良ノズルの検出数が「３」以上である場合には（ステップＳ６のＮＯ）、不良ノズルが
多発していると判定して、３番目にインクの吸引量が少ないインク吸引処理（ＣＬ２）を
選択する（ステップＳ８ｃ）。
【００５８】
このように、制御部３０は、１回目のクリーニング処理の実行前に、ステップＳ４ｂ、
Ｓ５、Ｓ６を行うことにより、クリーニング強度設定カウンタＮのカウント値Ｎａ、並び
に、不良ノズル多発条件に該当する状態か否かの判定結果、および、不良ノズルの検出数
が所定の閾値未満か否かの判定結果に基づいて、１回目のクリーニング処理の内容を決定
している。なお、ステップＳ６における不良ノズル検出数の判定閾値は「３」以外の数で
あってもよい。
【００５９】
制御部３０は、ステップＳ８ａ〜Ｓ８ｃ、Ｓ８ｇのいずれかの内容のクリーニング処理
（第１ヘッドクリーニング工程）を実行した後には、積算カウンタＡＣＬに１を加算する
（ステップＳ９）。そして、再びノズルチェック工程を行い（ステップＳ１ｂ：第２ノズ
ルチェック工程）、不良ノズルが検出されれば、さらに処理を継続してステップＳ３、Ｓ
４ａ、４ｂに進む。１回目のクリーニング処理を行った後には、ステップＳ４ａにおいて
積算カウンタＡＣＬのカウント値が「０」でないと判定されるので（ステップＳ４ａのＮ
Ｏ）、ステップＳ７に進む。ステップＳ７では、制御部３０は、不良ノズル多発条件やノ
ズルチェック工程における不良ノズルの検出数とは無関係に、積算カウンタＡＣＬのカウ
ント値に基づいてクリーニング処理の内容を決定している。
【００６０】
制御部３０は、ステップＳ７では、積算値カウンタＡＣＬのカウント値（ＡＣＬ）が「
１」の場合、すなわち、これが２回目のクリーニングである場合には、２番目にインクの
吸引量が少ないインク吸引処理（ＣＬ１）を選択する（ステップＳ８ｄ）。また、カウン
ト値（ＡＣＬ）が「２」の場合、すなわち、今回が３回目のクリーニングである場合には
、３番目にインクの吸引量が少ないインク吸引処理（ＣＬ２）を選択し、実行する（ステ
ップＳ８ｅ）。そして、カウント値（ＡＣＬ）が「３」の場合、すなわち、今回が４回目
のクリーニングである場合には、２番目にインク吸引量が多いインク吸引処理（ＣＬ３）
を選択する（ステプＳ８ｆ）。
【００６１】
制御部３０は、Ｓ８ｄ〜Ｓ８ｆのいずれかの内容のクリーニング処理（第２ヘッドクリ
ーニング工程）を実行した後には、積算カウンタＡＣＬに更に「１」を加算する（ステッ
プＳ９ａ、９ｂ）。そして、再びノズルチェック工程を行い（ステップＳ１ｃ）、不良ノ
ズルが検出されれば、さらに処理を継続する。そして、積算カウンタＡＣＬの値に対応す
るインク吸引処理を選択して実行する工程（ステップＳ８ｄ〜Ｓ８ｆ）と、ノズルチェッ
ク工程（ステップＳ１ｃ）の２つの工程をこの順で繰り返し行い、後述するエラー処理（
ステップＳ１０）、あるいは、ヘッドクリーニング終了処理（ステップＳ１１〜Ｓ１２）
に進むまでは、この２工程の繰り返しを継続する。
【００６２】
制御部３０は、ステップＳ３において積算カウンタＡＣＬの値が「４」未満でないと判
定した場合には（ステップＳ３のＮＯ）、すでに規定回数以上のクリーニング処理を繰り
返したにも拘らず、まだ不良ノズルが検出されているとして、エラー処理に進む（ステッ
プＳ１０）。エラー処理では、例えば、ホスト装置にクリーニングエラーの発生を示すエ
ラー信号を送信してホスト装置画面上でエラー表示を行ったり、プリンタ１のエラー表示
ランプの点灯やプリンタ１の液晶表示部へのエラー表示を行ったり、あるいは、音声での
エラー報知を行うなどの処理が考えられる。
【００６３】
また、制御部３０は、ノズルチェック工程（ステップＳ１ａ〜Ｓ１ｃ）において不良ノ
ズルが１つも検出されない場合には、クリーニング要否判定でクリーニングが不要と判定
し（ステップＳ２のＮＯ）、積算カウンタＡＣＬをリセットしてそのカウント値を「０」
にする（ステップＳ１１）。そして、インクジェットヘッド１１を待機位置に戻してその
位置でキャリッジ１２をロックする（ステップＳ１２）。これにより、ヘッドクリーニン
グが終了する。制御部３０は、ヘッドクリーニングが正常に終了した場合には、タイマＡ
ＩＤフラグ、衝撃検出フラグ、起動処理フラグ、ＡＩＤ保留フラグ、カバークローズフラ
グを全てクリアする。
【００６４】
（フラッシング制御処理）
次に、インクジェットプリンタ１におけるフラッシング制御動作を説明する。フラッシ
ングは、電源投入時、一定期間毎などの予め設定されたタイミングで実行される。制御部
３０は予め設定されているフラッシング実行時点になると、インクジェットヘッド１２を
待機位置に移動してヘッドキャップに対峙させ、この状態で各ノズルから印刷に関与しな
いインク液滴を吐出させるフラッシングを行なわせる。
【００６５】
図１０はフラッシング制御処理を示す概略フローチャートである。制御部３０はフラッ
シング実行時点になると、まず、開閉センサ２ｄによりインクカートリッジカバー２ｂの
開閉状態を検出する（ステップＳ２１）。インクカートリッジカバー２ｂが開いている場
合には、バルブ７４を閉じる処理を含む所定のカバーオープン処理を実行し（ステップＳ
２２）、処理を終了する。この後はインクカートリッジカバー２ｂが閉じるまでフラッシ
ングの開始を保留状態にする。
【００６６】
開閉センサ２ｄによりインクカートリッジカバー２ｂが閉じていることが検出された場
合にはフラッシングを実行する（ステップＳ２３）。そして、フラッシング直後に再び開
閉センサ２ｄによりインクカートリッジカバー２ｂの開閉状態を検出する（ステップＳ２
４）。すなわち、フラッシング中にインクカートリッジカバー２ｂが開けられたか否かを
検出する。インクカートリッジカバー２ｂが開けられていない場合には処理を終了し、イ
ンクカートリッジカバー２ｂが開けられたことが検出された場合には、先に述べたヘッド
クリーニング処理におけるクリーニング強度を規定するための強度設定カウンタＮのカウ
ント値Ｎａに、予め定めた値ΔＮ１を加算する処理を実行し（ステップＳ２５）、しかる
後に処理を終了する。この加算処理によって、最もインク吸引量が多い（最もクリーニン
グ強度の高い）クリーニング処理（ＣＬ４）の実行時期を早めることができる。
【００６７】
以上説明したように、インクジェットプリンタ１では、フラッシングを行なう直前にイ
ンクカートリッジカバー２ｂが開いているか否かを検出し、開いている場合には、気泡の
侵入を防止するためにフラッシングを行なわないようにしている。したがって、インクカ
ートリッジカバー２ｂを開けたことにより大気開放状態になっているインク供給路７３の
インク供給針７２の先から気泡が侵入して不良ノズルが発生するという不具合を未然に防
止できる。
【００６８】
また、フラッシング中にインクカートリッジカバー２ｂが開けられたことが検出された
場合には、クリーニング強度設定カウンタＮのカウント値ＮａにΔＮ１を加算するように
している。この結果、最も強いクリーニング強度によるヘッドクリーニング（ＣＬ４）が
実行される時期を早めることができる。したがって、フラッシング中に大気開放されたイ
ンク供給路７３のインク供給針７２の先から気泡が侵入してしまったとしても、最も強い
ヘッドクリーニング（ＣＬ４）を早めに行なうことにより、侵入した気泡を早めに取り除
くことができる。
【００６９】
なお、上記の実施の形態では、フラッシング中にインクカートリッジカバー２ｂが開け
られた場合には、クリーニング強度設定カウンタＮのカウント値Ｎａに所定の値ΔＮ１を
加算して、最も強いヘッドクリーニング（ＣＬ４）が行なわれる時期を早めている。この
代わりに、フラッシング中にインクカートリッジカバー２ｂが開けられた場合を、不良ノ
ズル多発条件の一つとして設定し、３番目あるいは４番目のクリーニング強度でのヘッド
クリーニング（ＣＬ２、ＣＬ１）を行なうようにしてもよい（ステップＳ５、Ｓ６、Ｓ８
ｂ、Ｓ８ｃ）。また、フラッシング中にインクカートリッジカバー２ｂが開けられたこと
が検出された場合には、他の不良ノズル多発条件の場合のヘッドクリーニングよりもイン
ク吸引量の多いヘッドクリーニング（ＣＬ３）を行なうようにしてもよい。
【００７０】
また、クリーニング処理としてインクの吸引量が異なる５種類のインク吸引処理（ＣＬ
０〜ＣＬ４）を行っていたが、フラッシング処理あるいはワイピング処理を行ってもよく
、これらの処理を適宜組み合わせて行っても良い。さらに、インク吸引処理におけるイン
ク吸引量あるいはインク吸引力、フラッシング処理におけるインク吐出量、などは適宜変
更可能である。また、直前のノズルチェック工程における不良ノズルの検出数に応じてイ
ンクの吸引量や吐出量を変えてもよい。
【図面の簡単な説明】
【００７１】
【図１】本発明を適用したインクジェットプリンタの外観斜視図である。
【図２】インクジェットプリンタを開けた状態の外観斜視図である。
【図３】インクジェットプリンタのプリンタ機構部を示す斜視図である。
【図４】インクジェットプリンタの概略断面図である。
【図５】インクカートリッジ装着部の構成を示す説明図である。
【図６】インクジェットプリンタのヘッドクリーニング機構を示す斜視図である。
【図７】ヘッドクリーニング機構のノズルチェック状態を示す説明図である。
【図８】インクジェットプリンタの制御系を示す概略ブロック図である。
【図９】ノズルチェックとヘッドクリーニングの動作を示す概略フローチャートである。
【図１０】フラッシング制御動作を示す概略フローチャートである。
【符号の説明】
【００７２】
１  インクジェットプリンタ、２  外装ケース、２ｂ  インクカートリッジカバー、３  
排紙口、４  ロール紙収納部、５  ロール紙、５ａ  記録紙、５ｂ  剥離台紙、５ｃ  ラ
ベル、５ｄ  ブラックマーク、６  インクカートリッジ、７  インクカートリッジ装着部
、８  記録紙切断機構、１０  プリンタ機構部、１１  印刷機構、１２  インクジェット
ヘッド、１２ａ  ノズル面、１３  キャリッジ、１４  キャリッジ軸、１５  無端ベルト
、１６  キャリッジモータ、１７  背圧調整ユニット、１８  ダンパユニット、１９  イ
ンク供給チューブ、２０  プラテン、２１  後側紙送りローラ、２２  後側紙押えローラ
、２３  前側紙送りローラ、２４  前側紙押えローラ、２５  紙送りモータ、２６  テン
ションガイド、３０  制御部、３０ａ  操作入力部、３１  送受信部、３２  ホスト装置
、３３，３４  モータドライバ、４０  ヘッドクリーニング機構、４１  ヘッドキャップ
、４１ａ  封止面、４１ｂ  縁部、４１ｃ  凹部、４１ｄ  吸収材、４１ｅ  導電材、４
２  ワイパ、４３  インク吸引部、４４  フレーム、６１  インク供給口、７１  連動式
スライダ、７２  インク供給針、７３  インク供給路、７４  バルブ
【図１】
2010030186.tif 000003
【図２】
2010030186.tif 000004
【図３】
2010030186.tif 000005
【図４】
2010030186.tif 000006
【図５】
2010030186.tif 000007
【図６】
2010030186.tif 000008
【図７】
2010030186.tif 000009
【図８】
2010030186.tif 000010
【図９】
2010030186.tif 000011
【図１０】
2010030186.tif 000012